(57)【要約】浴槽水内のレジオネラ菌及び大腸菌等の細菌の検出、監視及び対策を著しく迅速、簡易、低廉に行えるシステム及び方法を提供する。【課題】従来約２週間ほどかかっていたレジオネラ菌の検出時間を大幅に短縮し、浴槽水の連続的な監視及びレジオネラ菌が発生した場合の対策をいかに著しく迅速に簡易に低廉に行えるかである。【解決手段】ＡＴＰ測定器１を用いて浴槽水に含まれるＡＴＰ量を測定し、浴場の客数や塩素濃度などの測定ないし観測したデータをインターネットを利用してサーバーに集積し、サーバーが浴槽水のＡＴＰ量等のデータの監視、測定したＡＴＰ量が高い場合の通報、スケジュール管理を行い、インターネットを利用して経営者に対しＡＴＰ量の傾向や対策などの報告を行う。【選択図】図１
2005199147.tif 000002
【特許請求の範囲】
【請求項１】
浴槽水のレジオネラ菌の検出を行う浴槽を設置する施設側に設置されるＡＴＰ測定器と浴槽水のレジオネラ菌の検出を行う浴槽を設置する施設側に設置され該ＡＴＰ測定器と接続される施設端末装置と、レジオネラ菌の検出に関する分析を行うサーバー管理者側に設置され該施設端末装置とインターネットを介して接続されるサーバーと、浴槽を設置する施設を経営する側に設置され該サーバーとインターネットを介して接続されるオーナー端末装置とからなる浴槽水汚染度検知システムにおいて、上記ＡＴＰ測定器は、浴槽水のＡＴＰ量を測定する手段と、測定したＡＴＰ量をＡＴＰ測定値として上記施設端末装置に送信する手段を備え、上記施設端末装置は、該ＡＴＰ測定値及び施設端末入力情報をサーバーに送信する手段と監視情報及び通報情報及び要求情報及びスケジュール情報を受信する手段と、監視画面及び通報画面及び要求画面及びスケジュール画面を表示する手段を備え、上記サーバーは、ＡＴＰ測定値及びＡＴＰ基準値及びＡＴＰデータ及び仮ＡＴＰ測定値及びファクター情報及び確認情報を蓄積する手段と、該ＡＴＰ基準値と該測定したＡＴＰ量を比較する手段と、仮に該測定したＡＴＰ量がＡＴＰ基準値より高い場合警報を出す手段と、該監視情報及び該通報情報及び該要求情報及び該スケジュール情報及び報告情報を作成する手段と、該監視情報及び該通報情報及び該要求情報及び該スケジュール情報を上記施設端末装置に送信する手段と、該報告情報を上記オーナー端末装置に送信する手段を備え、上記オーナー端末装置は該報告情報を受信する手段と、報告画面を表示する手段を備えたことを特徴とする浴槽水汚染度検知システム。
【請求項２】
浴槽水のレジオネラ菌の検出を行う浴槽を設置する施設側に設置されるＡＴＰ測定器と浴槽水のレジオネラ菌の検出を行う浴槽を設置する施設側に設置され該ＡＴＰ測定器と接続される施設端末装置と、レジオネラ菌の検出に関する分析を行うサーバー管理者側に設置され該施設端末装置とインターネットを介して接続されるサーバーと、浴槽を設置する施設を経営する側に設置され該サーバーとインターネットを介して接続されるオーナー端末装置とからなる浴槽水汚染度検知システムにおいて、上記ＡＴＰ測定器は、浴槽水のＡＴＰ量を測定する手段と、測定したＡＴＰ量をＡＴＰ測定値として上記施設端末装置に送信する手段を備え、上記施設端末装置は、該ＡＴＰ測定値及び施設端末入力情報をサーバーに送信する手段と監視情報及び通報情報及び要求情報及びスケジュール情報を受信する手段と、監視画面及び通報画面及び要求画面及びスケジュール画面を表示する手段を備え、上記サーバーは、ＡＴＰ測定値及びＡＴＰ基準値及びＡＴＰデータ及び仮ＡＴＰ測定値及びファクター情報及び確認情報を蓄積する手段と、該ＡＴＰ基準値と該測定したＡＴＰ量を比較する手段と、仮に該測定したＡＴＰ量がＡＴＰ基準値より高い場合警報を出す手段と、該監視情報及び該通報情報及び該要求情報及び該スケジュール情報及び報告情報を作成する手段と、該監視情報及び該通報情報及び該要求情報及び該スケジュール情報を上記施設端末装置に送信する手段と、該報告情報を上記オーナー端末装置に送信する手段を備え、上記オーナー端末装置は該報告情報を受信する手段と、報告画面を表示する手段を備えたことを特徴とする浴槽水汚染度検知方法。
【発明の詳細な説明】
【技術分野】
【０００１】
本発明は、浴槽水のレジオネラ菌や大腸菌による汚染度を検知、監視、報告するシステムと浴槽水のレジオネラ菌や大腸菌による汚染度を検知、監視、報告する方法に関するものである。
【背景技術】
【０００２】
近年温泉や公衆浴場の浴槽水がレジオネラ菌によって汚染されたため高齢者が肺炎等に罹患し、ときには死亡する事件が続出している。厚生労働省や地方自治体は温泉や大衆浴場、旅館内の浴場、老人福祉施設内の浴場、船舶の浴場施設等の衛生管理を徹底しつつありこれら温泉や大衆浴場等に対する監視を強めている。従来浴槽水のレジオネラ菌や大腸菌を検出する方法は、浴槽水が一定の塩素濃度に達した場合レジオネラ菌や大腸菌は存在しないという推定を根拠に浴槽水の塩素濃度を測定することによってレジオネラ菌や大腸菌の不存在を検知するＤＰＤ法による残留塩素濃度測定があるが、この方法はレジオネラ菌や大腸菌が存在しないだろうという簡単な目安を用いるに過ぎず、過度の浴槽水への塩素注入を惹起させ入浴者への健康上問題が生じる。また、レジオネラ菌や大腸菌の別の検出方法として採取した浴槽水を培養するレジオネラ属菌及び大腸菌群検査があるが、この方法はレジオネラ菌であれば約２週間、大腸菌であれば約２，３日経過しないと検査結果が出ないため結果判明まで長時間かかり、仮にレジオネラ菌が検出された場合迅速な対応ができない。
【０００３】
また、水質の監視システムないし監視方法として特開２００２−８５９１６号、特開２００３−１１４７１８号があるが、浴槽や水処理場の水の温度等を測定し濾過装置等の機械の作業状況を監視し浴場に設置された装置を制御して塩素を注入したりする一般的な監視制御システムでありレジオネラ菌や大腸菌の検出に特化したものではない。温泉や大衆浴場等には浴槽が２，３しかない箇所も存在するが、一般には一番の大きい浴槽である主浴槽とその循環系統、二番目に大きい浴槽である副浴槽とその循環系統、露天風呂とその循環系統、水風呂とその循環系統、薬湯風呂とその循環系統、ジャグジー風呂などのバイブラ風呂とその循環系統、浴槽から溢れた浴槽水を循環させる循環系統がある。これらの浴槽水は配管によって連結された集毛器、循環ポンプ、ろ過装置を通って循環するが、浴槽や配管を洗浄しないと配管の壁面に人の体から湧出した垢及び脂質、温泉成分、アメーバー、細菌から成るバイオフィルムが形成され当該バイオフィルム内でレジオネラ菌などの細菌が繁殖する。当該バイオフィルムで繁殖したレジオネラ菌等は入浴客の極端な増加による塩素濃度の低下や塩素注入装置の不具合等で浴槽水の塩素濃度が低下した瞬間に循環する浴槽水に湧出する場合がありその結果入浴者に感染する場合がある。また、浴槽水の循環の悪い配管があった場合当該配管内の浴槽水が細菌の温床になる場合もある。
【０００４】
当該バイオフィルムは生物膜で覆われているため浴槽水に注入した消毒剤が当該バイオフィルム内部にまで浸透しない。そのため浴槽水に塩素を注入するなどした消毒だけではレジオネラ菌や大腸菌の殺菌は十分ではなく浴槽及び配管の定期的な清掃が必要であることが知られている。従って温泉や大衆浴場等の浴槽水におけるレジオネラ菌や大腸菌の検知、監視については、各施設にある各循環系毎の個別のレジオネラ菌や大腸菌の継続した検知、監視が必要となりしかも低廉で煩雑でない方法をとるのがよい。
【０００５】
さらに、温泉や大衆浴場等におけるレジオネラ菌による死亡事故を踏まえ厚生労働省や地方公共団体は例えば浴槽水の定期的交換、循環ろ過装置へのヘアーキャッチャー設置と１週間に１度以上の汚れの排出、循環配管の適切な消毒方法による当該バイオフィルムの除去と清掃、浴槽水の残留塩素濃度０．２〜０．４ｍｇ／ｌを１日に２時間以上保つ、浴槽水のレジオネラ菌の検査を年に１〜４回定期的に行うことなどを指導している。そのため温泉や大衆浴場は指導事項を遵守するためスケジュール管理を行う必要がある。また、単に検査事項や清掃を実施するだけでなく、効果的な清掃が実施されたか確認することが清潔な浴槽を保つ上で必要である。さらに、温泉や大衆浴場等では免疫力の低下している高齢者等を客とするため急にレジオネラ菌が発生した場合等緊急事態が発生した場合レジオネラ菌の発生を検知し著しく迅速に適切な措置を行い、実際に適切な措置を行ったか否か確認することが重要である。そして、日常的に検知、監視したレジオネラ菌や大腸菌の状況等の測定データを温泉や大衆浴場等の経営者に報告すれば、浴槽や配管の清掃状況、レジオネラ菌や大腸菌の発生状況等を確認でき今後の経営戦略に有益な資料となる。
【特許文献１】特開２００２−８５９１６号公報
【特許文献１】特開２００３−１１４７１８号公報
【発明の開示】
【発明が解決しようとする課題】
【０００６】
本発明における課題は、温泉や大衆浴場等の浴槽水におけるレジオネラ菌や大腸菌の連続的な検知、監視を著しく迅速かつ簡易に行って、レジオネラ菌が発生した場合など緊急事態に適切な措置を指示し、実際に適切な措置を講じたかを確認し、レジオネラ菌の状況等の日常的な測定データや監視状況をいかに効率よく温泉や大衆浴場等の経営者に報告するかに関するシステムと方法である。
【課題を解決するための手段】
【０００７】
鋭意研究した結果以下の様に構成するのが最善であることがわかった。ＡＴＰ測定器１を用いて各浴槽水のＡＴＰ量を測定する。ＡＴＰ測定器１を施設側にある施設端末装置２に接続しインターネットを利用してＡＴＰ測定値をサーバー４に送信する。サーバー４は設定した基準値よりＡＴＰ測定値が著しく高ければ警報を、ある程度高ければ危険を、基準値より低ければ安全を施設端末装置２にインターネットを利用して通報する。サーバー４は警報を出す場合は適切な措置内容を施設端末装置２にインターネットを利用して通報し、現場担当者が当該適切な措置を講じたか確認手段を講じる。サーバー４はＡＴＰ測定値を蓄積する。サーバー４は温泉や大衆浴場等のスケジュール管理をインターネットを通じて行う。サーバー４は日常的に得られるＡＴＰ測定値等の測定データや監視状況を例えば月毎に温泉や大衆浴場等の経営者側にあるオーナー端末装置７にインターネットを利用して報告する。
【発明の効果】
【０００８】
本発明によれば、ＡＴＰ測定法を用いることで循環系毎に著しく迅速かつ簡易に継続的なレジオネラ菌や大腸菌の検知、監視ができ、レジオネラ菌が発生した場合など緊急事態に著しく迅速に適切な措置を講じることができ、しかも当該適切な措置を講じたか確認ができる。その上温泉や大衆浴場等の経営者にＡＴＰ測定値などの監視状況を報告でき、温泉や大衆浴場等は本発明を導入することにより入浴者に安心感を与えられ、施設の清潔度の基準にもなって収益の増加が期待できる。
【発明を実施するための最良の形態】
【０００９】
従来約２週間ほどかかっていたレジオネラ菌の検知という目的を早ければ数分以内に行うことができ、レジオネラ菌や大腸菌の検知、監視、警報の報告、適切な措置の報告と確認、測定データ等の監視状況の報告という目的を継続的に著しく迅速かつ簡易、低廉に実現した。
【実施例１】
【００１０】
実施例１の発明について説明する。図１は実施例１のブロック図である。ＡＴＰ測定器１及び施設端末装置２及びサーバー４及びオーナー端末装置７からなる装置である。施設端末装置２とサーバー４とオーナー端末装置７はインターネットを利用して接続する。本発明では多量のデータの送受信があるためインターネットはＡＤＳＬなどのブロードバンドが望ましい。ＡＴＰ測定器１は、動物、植物、微生物、細菌に必ず含まれている物質であるＡＴＰ（アデノシン三リン酸）の量を測定する測定器である。ここで何故ＡＴＰ量を測定するとレジオネラ菌や大腸菌の数が推定できるのか説明する。前述のとおりＡＴＰはすべての生命体に含まれているため、ある試料のＡＴＰ量が高い場合ある試料に含まれる生命体の数も多いことを示す。浴槽水の場合ＡＴＰ量が高い場合の原因としてはレジオネラ菌や大腸菌などの微生物及び人体から流出した脂や汚れなどである。レジオネラ菌や大腸菌が多く存在したり客が多い場合ＡＴＰ量が高くなるが、浴槽や配管を清掃したり浴槽水を塩素で消毒するとレジオネラ菌や大腸菌などの微生物が減少するのでＡＴＰ量が低くなる。そして、客数などがＡＴＰ量に及ぼす影響を極力除去してレジオネラ菌や大腸菌が発生した場合のＡＴＰ量を算出し、仮にそれより高いＡＴＰ量を測定すればレジオネラ菌や大腸菌が存在する蓋然性が高くなる。
【００１１】
ＡＴＰ測定器１は、例えば、水中にＡＴＰ抽出剤とルシフェリンとルシフェラーゼを添加した時の蛍光の発生量すなわち発光量を測定できる発光測定装置でよい。この発光量はＡＴＰ量と高い相関があり、例えば波長５６０ｎｍの発光量を測定することによってＡＴＰ量を測定できる。かかる発光測定装置としては、例えばキッコーマン株式会社製のルミテスターＰＤ−１０が挙げられ、ＡＴＰ量を電気信号からなるデジタルデータとして出力できるので好都合である。ＡＴＰ測定器１は、温泉や大衆浴場、旅館内の浴場、老人福祉施設内の浴場、船舶の浴場施設等の施設に設置される。ＡＴＰ測定器１は、各温泉や大衆浴場の主浴槽やジャグジー風呂等の浴槽水のＡＴＰの量を測定する。例えば甲という温泉の乙という露天風呂、同温泉の丙というジャグジー風呂、丁という大衆浴場の主浴場毎にＡＴＰ量を測定する。ＡＴＰ測定器１は、測定した量をＡＴＰ測定値として蓄積し、測定した時刻をＡＴＰ時刻値として蓄積する。ＡＴＰ測定器１は、例えばＲ２３２Ｃケーブルを用いて、または、無線により施設端末装置２に接続する。ＡＴＰ測定器１を施設端末装置２に接続した後ＡＴＰ測定器１はＡＴＰ測定値及びＡＴＰ時刻値を施設端末装置２に送信する。
【００１２】
施設端末装置２は、施設端末送信部２１及び施設端末受信部２２及び施設端末表示部２３及び施設端末入力部２４からなる装置である。施設端末装置２はパーソナルコンピューターでよく、本発明に特化して作成された機械であってもよい。施設端末装置２は、温泉や大衆浴場、旅館内の浴場、老人福祉施設内の浴場、船舶の浴場施設等の施設に設置される。施設端末送信部２１は、施設端末受信部２２が送信したＡＴＰ測定値及びＡＴＰ時刻値を受信し、施設端末入力部２４が送信した施設端末入力情報を受信し、ＡＴＰ測定値及びＡＴＰ時刻値及び施設端末入力情報をサーバー４に送信する。施設端末受信部２２は、ＡＴＰ測定器１が送信したＡＴＰ測定値とＡＴＰ時刻値を受信し、サーバー４が送信した監視情報及び通報情報及び要求情報及びスケジュール情報を受信し、監視情報及び通報情報及び要求情報及びスケジュール情報を施設端末表示部２３に送信し、ＡＴＰ測定値及びＡＴＰ時刻値を施設端末送信部２１に送信する。図２は監視画面の例である。図３は通報画面の例である。図４は要求画面の例である。図５はスケジュール画面の例である。施設端末表示部２３は、施設端末受信部２２が送信した監視情報及び通報情報及び要求情報及びスケジュール情報を受信し、監視情報から監視画面３１を作成して表示し、通報情報から通報画面３２を作成して表示し、要求情報から要求画面３３を作成して表示し、スケジュール情報からスケジュール画面３４を作成して表示する。施設端末表示部２３はディスプレイでよい。施設端末入力部２４は、温泉や大衆浴場等の施設の現場担当者が入力した情報を施設端末入力情報として施設端末送信部２１に送信する。施設端末入力部２４はマウスやキーボードでよい。現場担当者が入力する情報としては浴槽水の塩素濃度、客数、天候、所定のスケジュールに基づく作業の実施状況、要求画面に対応した作業の実施状況などである。
【００１３】
サーバー４は、サーバー送信部４１及びサーバー受信部４２及びサーバー蓄積部４３及びサーバー分析部４４及びサーバー入力部４５からなる装置である。サーバー４は市販されているものでよい。サーバー４はサーバー管理者側に設置するとよい。サーバー蓄積部４３はＡＴＰ情報蓄積部５１及び発報情報蓄積部５２及び監視報告情報蓄積部５３及びスケジュール情報蓄積部５４とからなる。サーバー分析部４４は、監視分析部６１及び発報確認分析部６２及びスケジュール分析部６３及び報告分析部６４からなる。サーバー入力部４５は、サーバー蓄積部４３が蓄積する情報を修正したり追加したり削除するためのものである。サーバー管理者は、サーバー入力部４５を用いてスケジュールの入力、温泉や対象浴場等の施設に関する情報、経営者に関する情報などの入力をする
【００１４】
サーバー送信部４１は、サーバー分析部６２が送信した通報情報及び監視情報及び要求情報及びスケジュール情報及び報告情報を受信し、通報情報及び監視情報及び要求情報及びスケジュール情報を施設端末装置２に送信し、報告情報をオーナー端末装置７に送信する。サーバー受信部４２は、施設端末装置２の施設端末送信部２１が送信したＡＴＰ測定値及びＡＴＰ時刻値及び施設端末入力情報を受信し、ＡＴＰ測定値及びＡＴＰ時刻値及び施設端末入力情報をサーバー分析部４４の監視分析部６１に送信する。
【００１５】
サーバー蓄積部４３のＡＴＰ情報蓄積部５１は、ＡＴＰ基準値及びＡＴＰデータ及び仮ＡＴＰ測定値及びＡＴＰ測定値及びＡＴＰ時刻値及び試験結果値及びファクター情報を蓄積する。ＡＴＰ基準値とは特定の温泉や大衆浴場等の特定の浴槽に対して１つ設定される。例えば甲という温泉の乙という露天風呂に対して２５００、同温泉の乙というジャグジー風呂に２０００、丙という大衆浴場では２３００という様にである。ＡＴＰデータとは、過去に様々な種類の浴槽水のＡＴＰ量を測定した結果得られたＡＴＰ量の集積である。例えば、温泉内にある主浴場で、泉質が主にフミン質、浴槽容量が２０トン、ＰＨが６．５〜７．０、客数が２０人の場合のＡＴＰ量や同条件でＰＨが７．０〜７．５、客数が４０人の場合のＡＴＰ量、大衆浴場内にある露天風呂で、浴槽容量が１０トン、ＰＨが６．５〜７．０、塩素濃度が０．２〜０．４ｐｐｍ、天候は晴れ、客数が５人の場合のＡＴＰ量などである。ＡＴＰデータは特色のあるファクターを特徴として蓄積される。例えば、温泉内の露天風呂、大衆浴場内のジェットバス風呂などである。ファクターとしては例えば温泉か大衆浴場か、主浴槽、副浴槽、露天風呂、水風呂、薬湯、バイブラの種別、塩素濃度、オーバーフローの有無、岩風呂か木製の風呂かなど湯船の性質、天候、客数などを設定するとよい。ＡＴＰデータはＡＴＰ基準値を決定する際の資料とする。
【００１６】
仮ＡＴＰ測定値とは、本発明を実施する温泉や大衆浴場等の施設内の特定の浴槽水のＡＴＰ量を一定期間連続的に測定した結果である。例えばＡＴＰデータでは温泉内の水風呂で泉質が主にフミン質、塩素濃度が０．４ｐｐｍでは一般的にＡＴＰ量が２０００であっても、現実に実施しようとする水風呂では諸条件により一般的なＡＴＰ量と現実に測定したＡＴＰ量とが異なる場合がある。そのため本発明を実施する前に現実にＡＴＰ量を測定する必要があるがその際得られたＡＴＰ量である。仮ＡＴＰ測定値は、ＡＴＰ基準値を決定する際の資料とする。ＡＴＰ測定値とＡＴＰ時刻値は各温泉や大衆浴場毎に蓄積する。例えば甲という温泉の乙というジャグジー風呂という区分や男湯の主浴場の系統、男湯女湯共通の系統などである。さらに測定した際の塩素濃度や天候、客数などのファクターと関連付けて蓄積する。試験結果値とは、厚生労働省や地方自治体が定めた基準などによって行われた様々な試験の時期とそれら様々な試験によって得られた結果の値である。例えば平成１５年１１月に行われたレジオネラ菌検出試験の結果である。かかる試験で得られた微生物数とそれに対応するＡＴＰ量とを１セットのデータとして適当の手段に蓄積し、蓄積されたデータを統計的に解析して検量線や回帰式を求めることにより、一層精度の高い汚染度の判定ができる。ファクター情報とは、施設端末入力情報のうちファクターに関連する情報である。ファクターは好ましくは塩素濃度、客数、天候を含むとよい。
【００１７】
サーバー蓄積部４３の発報情報蓄積部５２は、通報情報及び過去通報情報及び要求情報及び過去要求情報及び確認情報を蓄積する。通報情報は、施設の現場担当者に対し緊急事態であることを知らせる警報関係の通報情報、施設の現場担当者に対し緊急事態ではないが所定の措置を必要とすることを知らせる注意関係の通報情報、施設の現場担当者に対し現在のところ不安な状況はないということを知らせる安全関係の通報情報に分けるとよい。警報関係の通報情報の例としては「レジオネラ菌が増殖中で大変危険です。」である。過去通報情報は、サーバー分析部４４の発報確認分析部６２が作成した過去の所定の通報情報の内容、時刻を蓄積する。通報情報のように警告関係の過去の通報情報、注意関係の過去の通報情報、安全関係の過去の通報情報に分けて蓄積するとよい。要求情報は、所定の警報関係の通報情報が作成された場合に施設の現場担当者がなすべき措置を内容とする警報関係の要求情報、所定の注意関係の通報情報が作成された場合に施設の現場担当者がなすべき措置を内容とする注意関係の要求情報、例えば施設の現場担当者に客数を入力するよう催告するなどその他施設の現場担当者に所定の行為を要求するその他の要求情報に分けるとよい。警報関係の要求情報の例としては「直ちに浴槽と配管の洗浄をしてください。洗浄した後は確認ボタンをクリックしてください。」である。過去要求情報は、サーバー分析部４４の発報確認分析部６２が作成した過去の所定の要求情報の内容、時刻を蓄積する。要求情報のように警告関係の過去の要求情報、注意関係の過去の要求情報、その他の過去の要求情報に分けて蓄積するとよい。確認情報は、サーバー発報確認分析部６２が作成した確認情報を蓄積する。
【００１８】
サーバー蓄積部４３の監視報告情報蓄積部５３は、サーバー分析部４４の監視分析部６１が作成した監視情報とサーバー分析部４４の報告分析部６４が作成した報告情報を蓄積する。監視情報は各温泉や大衆欲情等毎に、例えば月次や日次に分けて蓄積するとよい。サーバー蓄積部４３のスケジュール情報蓄積部５４はスケジュール情報を蓄積する。スケジュール情報とは、厚生労働省や地方公共団体が定めた所定の水質検査の日程や浴槽、配管の清掃に関する日程、消毒剤購入の日程など温泉や大衆浴場等の管理運営に必要なスケジュールに関する情報である。
【００１９】
サーバー分析部４４の監視分析部６１は、サーバー送信部４１が送信したＡＴＰ測定値及びＡＴＰ時刻値及び施設端末入力情報を受信し、ＡＴＰ測定値及びＡＴＰ時刻値及び施設端末入力情報のうちのファクター情報をサーバー蓄積部４３のＡＴＰ情報蓄積部５１に蓄積させる。監視分析部６１は、施設端末入力情報のうちの要求情報に応ずる情報を発報確認分析部６２に送信する。監視分析部６１は、浴槽水のＡＴＰ測定値等の監視状況を把握する。そのためＡＴＰ測定値及びＡＴＰ時刻値及びファクター情報をグラフ化するのが好ましい。例えばＡＴＰ時刻値を基準としてＡＴＰ測定値の日変化や周変化、月変化を線グラフにしたり、その際ファクター情報である塩素濃度と相対比較したりする。また例えば所定の浴槽水のＡＴＰ測定値の平均値や標準偏差を算出しグラフ化する。監視分析部６１は分析した監視状況を監視情報としてサーバー送信部４１に送信し、監視情報をサーバー蓄積部４３の監視報告情報蓄積部５３に蓄積させる。
【００２０】
サーバー分析部４４の発報確認分析部６２は、ＡＴＰ情報蓄積部５１が蓄積するＡＴＰ測定値とＡＴＰ基準値を比較し、仮にＡＴＰ測定値がＡＴＰ基準値よりも著しく高い場合は所定の警報関係の通報情報をサーバー蓄積部４３のサーバー発報情報蓄積部５２から抽出し通報情報を作成してサーバー送信部４１に送信し、作成した通報情報をサーバー蓄積部４３の発報情報蓄積部５２に蓄積させる。発報確認分析部６２は、作成した通報情報に相当する警報関係の要求情報をサーバー蓄積部４３の発報情報蓄積部５２から抽出し要求情報を作成してサーバー送信部４１に送信し、作成した要求情報をサーバー蓄積部４３の発報情報蓄積部５２に蓄積させる。発報確認分析部６２は、ＡＴＰ測定値とＡＴＰ基準値を比較し、仮にＡＴＰ測定値がＡＴＰ基準値よりも一定程度高い場合は所定の注意関係の通報情報をサーバー蓄積部４３のサーバー発報情報蓄積部５２から抽出し通報情報を作成してサーバー送信部４１に送信し、作成した通報情報をサーバー蓄積部４３の発報情報蓄積部５２に蓄積させる。発報確認分析部６２は、作成した通報情報に相当する注意関係の要求情報をサーバー蓄積部４３の発報情報蓄積部５２から抽出し要求情報を作成してサーバー送信部４１に送信し、作成した要求情報をサーバー蓄積部４３の発報情報蓄積部５２に蓄積させる。発報確認分析部６２は、ＡＴＰ測定値とＡＴＰ基準値を比較し、仮にＡＴＰ測定値がＡＴＰ基準値よりも低い場合は所定の安全関係の通報情報をサーバー蓄積部４３のサーバー発報情報蓄積部５２から抽出し通報情報を作成してサーバー送信部４１に送信し、作成した通報情報をサーバー蓄積部４３の発報情報蓄積部５２に蓄積させる。例えば施設の現場担当者が浴槽水のＡＴＰ測定値を送信しない場合、発報確認分析部６２は所定のその他の要求情報をサーバー蓄積部４３の発報情報蓄積部５２から抽出し要求情報を作成してサーバー送信部４１に送信し、作成した要求情報をサーバー蓄積部４３の発報情報蓄積部５２に蓄積させる。また、発報確認分析部６２は、監視分析部６１が送信した施設端末入力情報のうち要求情報に応ずる情報を受信し確認情報としてサーバー蓄積部４３の発報情報蓄積部５２に蓄積させる。
【００２１】
施設の現場担当者は施設端末表示部２３が要求画面３３を表示した場合所定の措置を講じて、施設端末入力部２４を使用して所定の入力を行う。発報確認分析部６２は、施設端末入力情報を分析し施設の現場担当者が要求した措置を講じたか確認する。また、ＡＴＰ基準値は所定の浴槽水のペーハーや客数の影響を受けるため、発報確認分析部６２はファクター情報を参考にしてＡＴＰ基準値を修正してもよい。
【００２２】
サーバー分析部４４のスケジュール分析部６３は、所定の日時になった場合サーバー蓄積部４３のスケジュール情報蓄積部５４から所定のスケジュール情報を抽出してサーバー送信部４１に送信する。サーバー分析部４４の報告分析部６４は、サーバー蓄積部４３のＡＴＰ情報蓄積部５１が蓄積するＡＴＰ測定値及びＡＴＰ時刻値及びファクター情報及びサーバー蓄積部４３の監視報告情報蓄積部５３が蓄積する監視情報及び報告情報などを分析して、例えば甲という温泉の乙という露天風呂のＡＴＰ測定値の傾向やレジオネラ菌及び大腸菌の数の傾向、天候や客数がＡＴＰ測定値やレジオネラ菌及び大腸菌の数に与える影響などを整理する。そして、報告分析部６４は整理した情報を報告情報を作成してサーバー送信部４１に送信し作成した報告情報をサーバー蓄積部４３の監視報告情報蓄積部５３に蓄積させる。
【００２３】
サーバー入力部４５は、サーバー４内のサーバー分析部４４の分析方法の修正、サーバー蓄積部４３が蓄積するデータの修正、削除、追加、報告情報など各種情報への追加などサーバー４内の情報の修正、削除、追加を行う。例えば甲という温泉の乙という水風呂に関するＡＴＰ基準値を修正したり、新たな試験結果値を蓄積させる。また、報告情報に温泉や大衆浴場等の清掃や塩素注入量に関する対策を含ませることができる。
【００２４】
オーナー端末装置７は、オーナー端末受信部７１、オーナー端末表示部７２から成る装置である。オーナー端末装置７は、温泉や大衆浴場等の経営者側に設置する。オーナー端末受信部７１は報告情報を受信し、報告情報をオーナー端末表示部７２に送信する。図６は報告画面の例である。オーナー端末表示部７２は報告情報から報告画面７３を表示する。温泉や大衆浴場等の経営者は報告画面７３を見ることで施設のＡＴＰ測定値の傾向が分かる。また、その対策に関する情報を得ることができ効果的な経営ができる。
【実施例２】
【００２５】
実施例２の発明について説明する。ＡＴＰ基準値を決定しサーバー蓄積部４３のＡＴＰ情報蓄積部５１にサーバー入力部４５を用いて蓄積させる。ここで何故ＡＴＰ量を測定するとレジオネラ菌や大腸菌の数が推定できるのか説明する。前述のとおりＡＴＰはすべての生命体に含まれているため、ある試料のＡＴＰ量が高い場合ある試料に含まれる生命体の数も多いことを示す。浴槽水の場合ＡＴＰ量が高い場合の原因としてはレジオネラ菌や大腸菌などの微生物、人体から流出した脂や汚れなどである。レジオネラ菌や大腸菌が多く存在したり客が多い場合ＡＴＰ量が高くなるが、浴槽や配管を清掃したり浴槽水を塩素で消毒するとレジオネラ菌や大腸菌などの微生物が減少するのでＡＴＰ量が低くなる。そして、客数などがＡＴＰ量に及ぼす影響を極力除去してレジオネラ菌や大腸菌が発生した場合のＡＴＰ量を算出し、仮にそれより高いＡＴＰ量を測定すればレジオネラ菌や大腸菌が存在する蓋然性が高くなる。ＡＴＰ基準値の決定については、サーバー蓄積部４３のＡＴＰ情報蓄積部５１が蓄積するＡＴＰデータや仮ＡＴＰ測定値、ファクター情報などを参考にする。また、サーバー入力部４５を用いてＡＴＰ基準値を変えることができる。
【００２６】
温泉や大衆浴場、旅館内の浴場、老人福祉施設内の浴場、船舶の浴場施設等の施設の所定の浴槽水を対象に各施設の現場担当者がＡＴＰ測定器１を用いて各温泉や大衆浴場の主浴槽やジャグジー風呂等の浴槽水のＡＴＰの量を測定する。例えば甲という温泉の乙という露天風呂、同温泉の丙というジャグジー風呂、丁という大衆浴場の主浴場毎にＡＴＰ量を測定する。ＡＴＰ測定器１は所定の各浴槽水のＡＴＰ量を測定しその結果をＡＴＰ測定値として蓄積し、測定した時刻をＡＴＰ時刻値として蓄積する。各施設の現場担当者はＡＴＰ測定器１と施設端末装置２を接続する。接続方法としてはＲ２３２Ｃケーブル等を用いる。ＡＴＰ測定器１は記録したＡＴＰ測定値とＡＴＰ時刻値を施設端末装置２に送信する。
【００２７】
施設端末装置２の施設端末受信部２２はＡＴＰ測定値とＡＴＰ時刻値を受信し、施設端末送信部２１に送信する。各施設の現場担当者は、当日の客数や塩素濃度、天候などのファクター情報を施設端末入力部２４を用いて入力する。施設端末入力部２４は現場担当者が入力した情報を施設端末入力情報として施設端末送信部２１に送信する。施設端末送信部２１はＡＴＰ測定値及びＡＴＰ時刻値及び施設端末入力情報をサーバー４に送信する。
【００２８】
サーバー受信部４２は、ＡＴＰ測定値及びＡＴＰ時刻値及び施設端末入力情報を受信し、ＡＴＰ測定値及びＡＴＰ時刻値及び施設端末入力情報をサーバー分析部４４の監視分析部６１に送信する。監視分析部６１は、ＡＴＰ測定値及びＡＴＰ時刻値及び施設端末入力情報を受信し、ＡＴＰ測定値及びＡＴＰ時刻値及び施設端末入力情報のうちのファクター情報をサーバー蓄積部４３のＡＴＰ情報蓄積部５１に蓄積させる。監視分析部６１は、浴槽水のＡＴＰ測定値等の監視状況を把握する。そのためＡＴＰ測定値、ＡＴＰ時刻値、ファクター情報をグラフ化するのが好ましい。例えばＡＴＰ時刻値を基準としてＡＴＰ測定値の日変化や周変化、月変化を線グラフにしたり、その際ファクター情報である塩素濃度と相対比較したりする。また例えば所定の浴槽水のＡＴＰ測定値の平均値や標準偏差を算出しグラフ化する。監視分析部６１は分析した監視状況を監視情報としてサーバー送信部４１に送信し、監視情報をサーバー蓄積部４３の監視報告情報蓄積部５３に蓄積させる。施設端末受信部２２は、監視情報を受信し施設端末表示部２３に送信する。施設端末表示部２３は監視情報から監視画面３１を作成し表示する。監視画面３１はサーバー分析部４４の監視分析部６１が分析したグラフなどが表示する。各施設の現場担当者は監視情報を見ることにより各施設の浴槽水に異常がないか確認することができる。
【００２９】
サーバー分析部４４の発報確認分析部６２は、サーバー蓄積部４３のＡＴＰ情報蓄積部５１が蓄積するＡＴＰ測定値とＡＴＰ基準値を比較する。仮にＡＴＰ測定値がＡＴＰ基準値よりも著しく高い場合は所定の警報関係の通報情報をサーバー蓄積部４３のサーバー発報情報蓄積部５２から抽出し通報情報を作成してサーバー送信部４１に送信し、作成した通報情報をサーバー蓄積部４３の発報情報蓄積部５２に蓄積させる。発報確認分析部６２は、作成した通報情報に相当する警報関係の要求情報をサーバー蓄積部４３の発報情報蓄積部５２から抽出し要求情報を作成してサーバー送信部４１に送信し、作成した要求情報をサーバー蓄積部４３の発報情報蓄積部５２に蓄積させる。発報確認分析部６２は、ＡＴＰ測定値とＡＴＰ基準値を比較し、仮にＡＴＰ測定値がＡＴＰ基準値よりも一定程度高い場合は所定の注意関係の通報情報をサーバー蓄積部４３のサーバー発報情報蓄積部５２から抽出し通報情報を作成してサーバー送信部４１に送信し、作成した通報情報をサーバー蓄積部４３の発報情報蓄積部５２に蓄積させる。発報確認分析部６２は、作成した通報情報に相当する注意関係の要求情報をサーバー蓄積部４３の発報情報蓄積部５２から抽出し要求情報を作成してサーバー送信部４１に送信し、作成した要求情報をサーバー蓄積部４３の発報情報蓄積部５２に蓄積させる。発報確認分析部６２は、ＡＴＰ測定値とＡＴＰ基準値を比較し、仮にＡＴＰ測定値がＡＴＰ基準値よりも低い場合は所定の安全関係の通報情報をサーバー蓄積部４３のサーバー発報情報蓄積部５２から抽出し通報情報を作成してサーバー送信部４１に送信し、作成した通報情報をサーバー蓄積部４３の発報情報蓄積部５２に蓄積させる。例えば施設の現場担当者が浴槽水のＡＴＰ測定値を送信しない場合、発報確認分析部６２は所定のその他の要求情報をサーバー蓄積部４３の発報情報蓄積部５２から抽出し要求情報を作成してサーバー送信部４１に送信し、作成した要求情報をサーバー蓄積部４３の発報情報蓄積部５２に蓄積させる。サーバー送信部４１は受信した通報情報、要求情報を施設端末受信部２２に送信する。
【００３０】
施設端末受信部２２は通報情報及び要求情報を受信し、施設端末表示部２３に送信する。施設端末表示部２３は通報情報を受信し、通報情報から通報画面３２を作成し表示する。通報画面３２の例としては「レジオネラ菌が増殖中で大変危険です。」である。施設端末表示部２３は要求情報から要求画面３３を作成し表示する。要求画面３３の例としては「直ちに浴槽と配管の洗浄をしてください。洗浄した後は確認ボタンをクリックしてください。」である。各施設の現場担当者は、通報画面３２及び要求画面３３を確認し所定の要求される行動を行う。要求される行動を行った後各施設の現場担当者は施設端末入力部２４を用いて確認を入力する。施設端末入力部２４は入力された情報を施設端末入力情報として施設端末送信部２１に送信する。施設端末送信部２１は施設端末入力情報をサーバー受信部４２に送信し、サーバー受信部４２は施設端末入力情報を受信しサーバー分析部４４の監視分析部６１に送信する。監視分析部６１は施設端末入力情報を受信し発報確認分析部６２に送信する。発報確認分析部６２は施設端末入力情報を分析し、各施設の現場担当者が要求される行動を行ったか否か確認し、確認情報として発報情報蓄積部５２に蓄積させる。
【００３１】
サーバー分析部４４のスケジュール分析部６３は、厚生労働省や地方自治体の定めた試験や検査の日程、浴槽を洗浄する日程など温泉や大衆浴場等の運営管理に関する情報を分析し、所定の日時が到来した場合サーバー蓄積部４３のスケジュール情報蓄積部５４から所定のスケジュール情報を抽出しサーバー送信部４１に送信する。サーバー送信部４１はスケジュール情報を施設端末受信部２２に送信する。施設端末受信部２２はスケジュール情報を施設端末表示部２３に送信し、施設端末表示部２３はスケジュール情報からスケジュール画面３４を作成し表示する。各施設の現場担当者はスケジュール画面３４を見ることによりこれからいかなる試験や検査等が予定されているか分かる。
【００３２】
サーバー分析部４４の報告分析部６４は、サーバー蓄積部４３のＡＴＰ情報蓄積部５１が蓄積するＡＴＰ測定値及びＡＴＰ時刻値及びファクター情報及びサーバー蓄積部４３の監視報告情報蓄積部５３が蓄積する監視情報及び報告情報などを分析して、例えば甲という温泉の乙という露天風呂のＡＴＰ測定値の傾向やレジオネラ菌及び大腸菌の数の傾向、天候や客数がＡＴＰ測定値やレジオネラ菌及び大腸菌の数に与える影響などを整理する。そして、報告分析部６４は整理した情報を報告情報を作成してサーバー送信部４１に送信し作成した報告情報をサーバー蓄積部４３の監視報告情報蓄積部５３に蓄積させる。また、報告情報にはサーバー入力情報を用いてサーバー管理者が情報を加えることができる。サーバー送信部４１は、報告情報をオーナー端末受信部７１に送信し、オーナー端末受信部７１は報告情報をオーナー端末表示部７２に送信する。オーナー端末表示部７２は報告情報を受信し、報告画面７３を作成し表示する。温泉や大衆浴場等の経営者は施設のＡＴＰ量の傾向やＡＴＰ量が高くなった場合の対策を知ることができ効果的な経営をすることができる。
【００３３】
サーバー４のサーバー入力部４５は、サーバー４内のサーバー分析部４４の分析方法の修正、サーバー蓄積部４３が蓄積するデータの修正、削除、追加、報告情報など各種情報への追加などサーバー４内の情報の修正、削除、追加を行う。例えば甲という温泉の乙という水風呂に関するＡＴＰ基準値を修正したり、新たな試験結果値を蓄積させる。また、報告情報に温泉や大衆浴場等の清掃や塩素注入量に関する対策を含ませることができる。
【産業上の利用可能性】
【００３４】
本発明ではＡＴＰ測定器を使用するため、他の物質内の細菌の検出と細菌の監視システムに適用できる。
【図面の簡単な説明】
【００３５】
【図１】（実施例１のブロック図）
【図２】（監視画面の例）
【図３】（通報画面の例）
【図４】（要求画面の例）
【図５】（スケジュール画面の例）
【図６】（報告画面の例）
【符号の説明】
【００３６】
１    ＡＴＰ測定器
２    施設端末装置
２１  施設端末送信部
２２  施設端末受信部
２３  施設端末表示部
２４  施設端末入力部
３１  監視画面
３２  通報画面
３３  要求画面
３４  スケジュール画面
４    サーバー
４１  サーバー送信部
４２  サーバー受信部
４３  サーバー蓄積部
４４  サーバー分析部
４５  サーバー入力部
５１  ＡＴＰ情報蓄積部
５２  発報情報蓄積部
５３  監視報告情報蓄積部
５４  スケジュール情報蓄積部
６１  監視分析部
６２  発報確認分析部
６３  スケジュール分析部
６４  報告分析部
７    オーナー端末装置
７１  オーナー端末受信部
７２  オーナー端末表示部
７３  報告画面
【図１】
2005199147.tif 000003
【図２】
2005199147.tif 000004
【図３】
2005199147.tif 000005
【図４】
2005199147.tif 000006
【図５】
2005199147.tif 000007
【図６】
2005199147.tif 000008